(57)【要約】【課題】燃料タンクの形状に拘らず常に正確な燃料残量を確認できるようし、且つ、部品の共用化によるコストダウンを図る。【解決手段】燃料タンク１１内の下部に圧力センサ１２を装着し、この圧力センサ１２の検出信号をコントローラ１３に入力する。コントローラ１３は圧力センサ１１にて検出した燃料のヘッド圧に基づいて、燃料タンク１１に充填されている燃料残量を演算し、この演算結果を表示装置１４に表示する。【選択図】  図１
2004183488.tif 000002
【特許請求の範囲】
【請求項１】
建設機械に搭載された燃料タンク内に圧力センサを装着し、該圧力センサの検出信号から燃料タンクに充填されている燃料残量を演算するコントローラと、この演算結果を表示する表示装置を備えたことを特徴とする建設機械の燃料残量表示装置。
【発明の詳細な説明】
【０００１】
【発明の属する技術分野】
本発明は建設機械の燃料残量表示装置に関するものであり、特に、燃料タンクの形状に拘らず正確な残量を確認できるようにした建設機械の燃料残量表示装置に関するものである。
【０００２】
【従来の技術】
図４は、従来の一般的な建設機械の燃料残量表示装置を示し、燃料タンク１内には、可変抵抗器２と、可変抵抗器２に回動可能に装着されたアーム３と、アーム３の先端に取り付けられたフロート４とからなる燃料センサ５が設けられている。燃料タンク１内に充填されている燃料の増減によりフロート４が上下動し、その浮力によりアーム３がある決められた角度範囲θで回動する（例えば特許文献１参照）。
【０００３】
【特許文献１】
特開２００２−１０３９９５号公報（第４頁、図２及び図３）
【０００４】
即ち、燃料残量が小のときは前記フロート４が低位置にあり、燃料残量が大のときは前記フロート４が高位置に移動するので、アーム３の回動角度の変化が可変抵抗器２の抵抗値の変化となり、コントローラ６はこの燃料センサ５の抵抗値を検出して燃料タンク１内の燃料残量を演算し、この演算結果を表示装置７に表示する。
【０００５】
【発明が解決しようとする課題】
従来の此種建設機械の燃料残量表示装置は、燃料センサ５の抵抗値からコントローラ６が燃料残量を演算しているが、小型の建設機械では搭載スペースの関係から、図５に示すように燃料タンク１ａの形状が細長くなる傾向にある。その際、アーム３が長いとその回動範囲内で燃料タンク１ａの内壁に干渉し、燃料残量が小の状態から大の状態までの一部の範囲にしか正確な燃料残量を検出することができない。
【０００６】
このため、同図の二点鎖線で示すように、アームの長さを短縮した別部品に交換し、燃料タンク１ａ内でアームがある決められた角度範囲θで回動できるように設定する必要があり、部品の共用化ができずにコストアップとなっていた。また、図示した形状の燃料タンク１ａではアームを短縮したので、燃料残量が最小の領域と最大の領域では正確な燃料残量を検出することができない。
【０００７】
そこで、燃料タンクの形状に拘らず常に正確な燃料残量を確認できるようし、且つ、部品の共用化によるコストダウンを図るために解決すべき技術的課題が生じてくるのであり、本発明はこの課題を解決することを目的とする。
【０００８】
【課題を解決するための手段】
本発明は上記目的を達成するために提案されたものであり、建設機械に搭載された燃料タンク内に圧力センサを装着し、該圧力センサの検出信号から燃料タンクに充填されている燃料残量を演算するコントローラと、この演算結果を表示する表示装置を備えた建設機械の燃料残量表示装置を提供するものである。
【０００９】
【発明の実施の形態】
以下、本発明の一実施の形態を図１乃至図３に従って詳述する。図１は建設機械の燃料残量表示装置を示し、細長い形状の燃料タンク１１の内部に圧力センサ１２を装着してある。該圧力センサ１２は燃料タンク１１の下部底面または下部側面に設置して燃料の圧力（ヘッド圧）を検出する。そして、該圧力センサ１２にて検出した検出信号をコントローラ１３へ入力し、コントローラ１３はこの検出信号に基づいて、燃料タンク１１に充填されている燃料残量を演算し、この演算結果を表示装置１４に表示する。
【００１０】
例えば、燃料残量が略ゼロである最小領域Ｆ０から燃料残量が略満タンである最大領域Ｆ６までの７ステップの燃料残量を表示させようとすれば、予め各ステップでの圧力センサ１２が検出した燃料のヘッド圧を測定し、ヘッド圧の変化をコントローラ１３に記憶させておく。
【００１１】
図２に示すように、燃料残量がＦ０からＦ２までのステップに於いては、燃料タンク１１の開口面積が広いため、ヘッド圧がＰ０からＰ２まで同一の変化率で比較的緩慢に上昇する。そして、燃料残量がＦ２からＦ４までのステップに於いては、燃料タンク１１の開口面積が徐々に狭くなっていくため、ヘッド圧がＰ２からＰ４まで二次曲線で表されるように変化率が徐々に大きくなるように上昇する。更に、燃料残量がＦ４からＦ６までのステップに於いては、燃料タンク１１の開口面積が狭いため、ヘッド圧がＰ４からＰ６まで同一の変化率で急激に上昇する。
【００１２】
このように、前記圧力センサ１２が検出したヘッド圧に応じて、コントローラ１３が図２に示したようなグラフのデータに基づいて燃料残量を演算する。そして、この演算結果を図１に示した表示装置１４に表示する。例えば、図３（ａ）に示す表示装置１４ａは、ＬＥＤ等の発光素子１５，１５…を縦方向に並べてあり、燃料残量がＦ０のときは全ての発光素子が点灯しない。燃料残量がＦ１のときは最下段の発光素子１５のみが点灯し、燃料残量がＦ２乃至Ｆ６と増加するに伴って最下段から順次上段まで複数個の発光素子１５，１５…が点灯するように形成してある。従って、オペレータは該表示装置１４ａを視認することにより、正確な燃料残量を認識することができる。
【００１３】
図３（ｂ）に示す表示装置１４ｂは、発光素子１５，１５…を横方向に並べたものであり、前述した同図（ａ）の表示装置１４ａと略同一の作用効果を有するものである。また、図３（ｃ）に示した表示装置１４ｃは、ヘッド圧の変化をアナログ的に表示するもので、指針１６が回動して燃料残量の変化を連続的に表示することができる。
【００１４】
尚、本発明は、本発明の精神を逸脱しない限り種々の改変を為すことができ、そして、本発明が該改変されたものに及ぶことは当然である。
【００１５】
【発明の効果】
本発明は上記一実施の形態に詳述したように、燃料タンク内に設置した圧力センサの検出信号からコントローラが燃料残量を演算して表示装置に表示するので、燃料タンクの形状の如何に拘らず、常に正確な燃料残量を確認することができる。また、燃料タンクの形状が異なった場合でも同一の部品にて燃料残量表示装置を構成することができ、部品の共用化によるコストダウンを図ることが可能となる等、正に諸種の効果を奏する発明である。
【図面の簡単な説明】
【図１】本発明の一実施の形態を示し、細長い形状の燃料タンクに於ける建設機械の燃料残量表示装置の縦断正面図。
【図２】本発明の一実施の形態を示し、ヘッド圧と燃料残量の関係を示すグラフ。
【図３】本発明の一実施の形態を示し、（ａ）は発光素子を縦方向に並べた表示装置の正面図、（ｂ）は発光素子を横方向に並べた表示装置の正面図、（ｃ）は指針式の表示装置の正面図。
【図４】従来技術を示し、一般的な建設機械の燃料残量表示装置の縦断正面図。
【図５】従来技術を示し、細長い形状の燃料タンクに於ける燃料残量表示装置の縦断正面図。
【符号の説明】
１１        燃料タンク
１２        圧力センサ
１３        コントローラ
１４        表示装置
１４ａ，１４ｂ，１４ｃ    表示装置
【図１】
2004183488.tif 000003
【図２】
2004183488.tif 000004
【図３】
2004183488.tif 000005
【図４】
2004183488.tif 000006
【図５】
2004183488.tif 000007